(57)【要約】【課題】表示画像の書き換えが可能なシースルー型画像表示装置に適切な、透視性の高いマイクロカプセル型電気泳動式表示パネル及びその製造方法を提供する。【解決手段】第一電極層１０を有する第一基板２と、第一基板２に対向配置された第二電極層１４を有する第二基板４と、透明分散媒２２中に電気泳動粒子２４を封入したマイクロカプセル１８を複数個含有し、第一基板２と第二基板４との間に介装されたマイクロカプセル層６を備えるマイクロカプセル型電気泳動式表示パネル１であって、マイクロカプセル層６におけるマイクロカプセル１８の占有率を、５０％以上〜７０％以下の範囲内とする。【選択図】図１
2012068585.tif 000002
【特許請求の範囲】
【請求項１】
第一電極層を有する第一基板と、当該第一基板に対向配置された第二電極層を有する第二基板と、透明分散媒中に電気泳動粒子を封入したマイクロカプセルを複数個含有し且つ前記第一基板と第二基板との間に介装されたマイクロカプセル層と、を備えるマイクロカプセル型電気泳動式表示パネルであって、
前記マイクロカプセル層における前記マイクロカプセルの占有率は、５０％以上〜７０％以下の範囲内であることを特徴とするマイクロカプセル型電気泳動式表示パネル。
【請求項２】
前記マイクロカプセルの粒径は、２０μｍ以上〜７０μｍ以下の範囲内であることを特徴とする請求項１に記載したマイクロカプセル型電気泳動式表示パネル。
【請求項３】
前記第一基板は、ガラス基板または樹脂フィルムを用いて形成されていることを特徴とする請求項１または請求項２に記載したマイクロカプセル型電気泳動式表示パネル。
【請求項４】
前記第二基板は、ガラス基板または樹脂フィルムを用いて形成されていることを特徴とする請求項１から請求項３のうちいずれか１項に記載したマイクロカプセル型電気泳動式表示パネル。
【請求項５】
第一電極層を有する第一基板と、当該第一基板に対向配置された第二電極層を有する第二基板と、透明分散媒中に電気泳動粒子を封入したマイクロカプセルを複数個含有し且つ前記第一基板と第二基板との間に介装されたマイクロカプセル層と、を備えるマイクロカプセル型電気泳動式表示パネルの製造方法であって、
前記マイクロカプセル層を、前記マイクロカプセル及び磁性マイクロ球体を混入した液体であるマイクロカプセル塗工液を前記第一電極層の前記第二基板と対向する面に塗布した後、当該塗布したマイクロカプセル塗工液が乾燥する前に前記マイクロカプセル塗工液から磁力により前記磁性マイクロ球体を取り除いて形成することを特徴とするマイクロカプセル型電気泳動式表示パネルの製造方法。
【請求項６】
前記マイクロカプセル層における前記マイクロカプセルの占有率を、５０％以上〜７０％以下の範囲内とすることを特徴とする請求項５に記載したマイクロカプセル型電気泳動式表示パネルの製造方法。
【請求項７】
前記マイクロカプセル及び前記磁性マイクロ球体のうち少なくとも一方の粒径を、２０μｍ以上〜７０μｍ以下の範囲内とすることを特徴とする請求項５または請求項６に記載したマイクロカプセル型電気泳動式表示パネルの製造方法。
【請求項８】
前記磁性マイクロ球体は、常温で強磁性を有する金属、または、常温で強磁性を有する性質の材料を前記マイクロカプセルと同一または略同一形状の収容部材内に封入して形成されていることを特徴とする請求項５から請求項７のうちいずれか１項に記載したマイクロカプセル型電気泳動式表示パネルの製造方法。
【請求項９】
前記マイクロカプセルに対する前記磁性マイクロ球体の数量比を、０．４以上〜０．８以下の範囲内とすることを特徴とする請求項５から請求項８のうちいずれか１項に記載したマイクロカプセル型電気泳動式表示パネルの製造方法。
【発明の詳細な説明】
【技術分野】
【０００１】
本発明は、マイクロカプセル型電気泳動表示パネルに関するものであり、特に、シースルー型画像表示装置として用いるために好適な、マイクロカプセル型電気泳動式表示パネルに関する。
【背景技術】
【０００２】
近年、画像等の情報を表示する情報表示パネルとして、着色された二種類の荷電粒子を分散させた透明な分散液（透明分散媒）に電界を印加することによって、二種類の荷電粒子の配置が移動して、表示が切り替わる構成の電気泳動式表示パネルが実用化されている。
上記のような電気泳動式表示パネルとしては、荷電粒子及び分散液を封入したマイクロカプセル層を、一対の対向する電極間へ単層に配置した構成の、マイクロカプセル型電気泳動式表示パネルが実用化されている。
【０００３】
マイクロカプセル層を形成する際には、まず、正に帯電させた白色の荷電粒子と、負に帯電させた黒色の荷電粒子とを、透明な分散液中に分散させてマイクロカプセルに封入することにより、印加された電界により泳動する荷電粒子（電気泳動粒子）が封入されたマイクロカプセルを形成する。
そして、この形成したマイクロカプセルを透明な溶媒液中に分散させると、この溶媒液によって、マイクロカプセルをインクのようにコーティングすることが可能となる。
【０００４】
次に、マイクロカプセルを分散させた溶媒液を第一電極層上に直接塗布して乾燥させた後、予め樹脂膜等に塗布された導電性接着剤を加熱しながら張り合わせる。さらに、アクティブマトリクス駆動用の電極回路を形成した基材を張り合わせると、例えば、特許文献１に示すような、マイクロカプセル型電気泳動式表示パネルが形成されることとなる。
ここで、マイクロカプセルを分散させた溶媒液を、第一電極層上に直接塗布する方法としては、スクリーン印刷、スピンコート、ディップコート、ダイコーティング等を用いることが可能である。
【０００５】
なお、以下の説明では、透明基材に形成した第一電極層上にマイクロカプセルを分散させた溶媒液を塗布した部品を、「前面板」と記載する場合がある。同様に、以下の説明では、上記の前面板と接合させるための、アクティブマトリクス駆動用の電極回路等を形成した基材を、「背面板」と記載する場合がある。
ここで、マイクロカプセル型電気泳動式表示パネルの表示方法としては、張り合わされた前面板と背面板において、前面板側での片面表示が一般的であるが、背面板に第一電極層回路を使用することにより、両画面表示も可能である。
【０００６】
また、上記のようなマイクロカプセル型電気泳動式表示パネルは、低消費電力での表示及び書き換え可能な表示媒体であるという特徴を有しているため、シースルー型画像表示装置として、掲示板、看板等の広告媒体として用いることが期待される。
ここで、シースルー型画像表示装置とは、屋内からは視界を遮られないが、屋外に対してメッセージ等の情報を表示することが可能な、屋内外の透視度が異なる透視板を提供する表示装置である。
【先行技術文献】
【特許文献】
【０００７】
【特許文献１】特開２００３−１８６０６４号公報
【発明の概要】
【発明が解決しようとする課題】
【０００８】
ところで、現時点において、シースルー型画像表示装置等を用いた広告媒体に求められる特性としては、表示画像の切り替えが挙げられる。特に、シースルー型画像表示装置は、街頭の窓ガラス、タクシー、バス等、様々な場所における広告媒体として用いられることが多いが、広告の切り替えには、シースルー型画像表示装置の張替えが必要となる。
そこで、シースルー型画像表示装置にマイクロカプセル型電気泳動式表示パネルを用いることにより、屋外に対して、常に新しいメッセージを表示することが可能な、新規広告媒体を形成することが期待されている。
【０００９】
しかしながら、シースルー型画像表示装置にマイクロカプセル型電気泳動式表示パネルを用いた場合、前面板に用いられるマイクロカプセル層には、マイクロカプセルが隙間無く敷き詰められているため、透視性が少なく、屋内から屋外への視線が遮られてしまうという問題が発生するおそれがある。
本発明は、上記のような問題点を解決するものであり、表示画像の書き換えが可能なシースルー型画像表示装置に適切な、透視性の高いマイクロカプセル型電気泳動式表示パネル及びその製造方法を提供することを目的とする。
【課題を解決するための手段】
【００１０】
上記課題を解決するために、本発明のうち、請求項１に記載した発明は、第一電極層を有する第一基板と、当該第一基板に対向配置された第二電極層を有する第二基板と、透明分散媒中に電気泳動粒子を封入したマイクロカプセルを複数個含有し且つ前記第一基板と第二基板との間に介装されたマイクロカプセル層と、を備えるマイクロカプセル型電気泳動式表示パネルであって、
前記マイクロカプセル層における前記マイクロカプセルの占有率は、５０％以上〜７０％以下の範囲内であることを特徴とするものである。
【００１１】
次に、本発明のうち、請求項２に記載した発明は、請求項１に記載した発明であって、前記マイクロカプセルの粒径は、２０μｍ以上〜７０μｍ以下の範囲内であることを特徴とするものである。
次に、本発明のうち、請求項３に記載した発明は、請求項１または請求項２に記載した発明であって、前記第一基板は、ガラス基板または樹脂フィルムを用いて形成されていることを特徴とするものである。
次に、本発明のうち、請求項４に記載した発明は、請求項１から請求項３のうちいずれか１項に記載した発明であって、前記第二基板は、ガラス基板または樹脂フィルムを用いて形成されていることを特徴とするものである。
【００１２】
次に、本発明のうち、請求項５に記載した発明は、第一電極層を有する第一基板と、当該第一基板に対向配置された第二電極層を有する第二基板と、透明分散媒中に電気泳動粒子を封入したマイクロカプセルを複数個含有し且つ前記第一基板と第二基板との間に介装されたマイクロカプセル層と、を備えるマイクロカプセル型電気泳動式表示パネルの製造方法であって、
前記マイクロカプセル層を、前記マイクロカプセル及び磁性マイクロ球体を混入した液体であるマイクロカプセル塗工液を前記第一電極層の前記第二基板と対向する面に塗布した後、当該塗布したマイクロカプセル塗工液が乾燥する前に前記マイクロカプセル塗工液から磁力により前記磁性マイクロ球体を取り除いて形成することを特徴とするものである。
【００１３】
次に、本発明のうち、請求項６に記載した発明は、請求項５に記載した発明であって、前記マイクロカプセル層における前記マイクロカプセルの占有率を、５０％以上〜７０％以下の範囲内とすることを特徴とするものである。
次に、本発明のうち、請求項７に記載した発明は、請求項５または請求項６に記載した発明であって、前記マイクロカプセル及び前記磁性マイクロ球体のうち少なくとも一方の粒径を、２０μｍ以上〜７０μｍ以下の範囲内とすることを特徴とするものである。
【００１４】
次に、本発明のうち、請求項８に記載した発明は、請求項５から請求項７のうちいずれか１項に記載した発明であって、前記磁性マイクロ球体は、常温で強磁性を有する金属、または、常温で強磁性を有する性質の材料を前記マイクロカプセルと同一または略同一形状の収容部材内に封入して形成されていることを特徴とするものである。
次に、本発明のうち、請求項９に記載した発明は、請求項５から請求項８のうちいずれか１項に記載した発明であって、前記マイクロカプセルに対する前記磁性マイクロ球体の数量比を、０．４以上〜０．８以下の範囲内とすることを特徴とするものである。
【発明の効果】
【００１５】
本発明によれば、表示画像の書き換えが可能なシースルー型画像表示装置に適切な、透視性の高いマイクロカプセル型電気泳動式表示パネル及びその製造方法を提供することが可能となる。
また、請求項１に記載した発明によれば、マイクロカプセル層における前記マイクロカプセルの占有率を、５０［％］以上〜７０［％］以下の範囲内とすることにより、透視性を有するマイクロカプセル型電気泳動式表示パネルを形成することが可能となる。このため、表示画像の書き換えが可能なシースルー型画像表示装置に適切なマイクロカプセル型電気泳動式表示パネルを提供することが可能となる。また、従来のマイクロカプセル型電気泳動式表示パネルと比較して、軽量化されたマイクロカプセル型電気泳動式表示パネルを提供することが可能となる。
【００１６】
また、請求項２に記載した発明によれば、マイクロカプセルの粒径を２０［μｍ］以上〜７０［μｍ］以下の範囲内とすることで、第一基板と第二基板との間において、マイクロカプセルを単層で敷き詰めることが可能となる。
また、請求項３に記載した発明によれば、第一基板を、ガラス基板を用いて形成することにより、強度に優れたマイクロカプセル型電気泳動式表示パネルを形成することが可能となる。一方、第一基板を、樹脂フィルムを用いて形成することにより、フレキシブルなマイクロカプセル型電気泳動式表示パネルを形成することが可能となる。
【００１７】
また、請求項４に記載した発明によれば、第二基板を、ガラス基板を用いて形成することにより、強度に優れたマイクロカプセル型電気泳動式表示パネルを形成することが可能となる。一方、第二基板を、樹脂フィルムを用いて形成することにより、フレキシブルなマイクロカプセル型電気泳動式表示パネルを形成することが可能となる。
また、請求項５に記載した発明によれば、マイクロカプセル層を、マイクロカプセル塗工液を第一電極層の第二基板と対向する面に塗布した後、この塗布したマイクロカプセル塗工液が乾燥する前に、マイクロカプセル塗工液から磁力により磁性マイクロ球体を取り除いて形成することにより、マイクロカプセルの面内分布が均一な、マイクロカプセル型電気泳動式表示パネルを製造することが可能となる。
【００１８】
また、請求項６に記載した発明によれば、マイクロカプセル層における前記マイクロカプセルの占有率を、５０［％］以上〜７０［％］以下の範囲内として、マイクロカプセル型電気泳動式表示パネルを製造することにより、透視性を有するマイクロカプセル型電気泳動式表示パネルを形成することが可能となる。このため、表示画像の書き換えが可能なシースルー型画像表示装置に適切なマイクロカプセル型電気泳動式表示パネルの製造方法を提供することが可能となる。また、従来のマイクロカプセル型電気泳動式表示パネルと比較して、軽量化されたマイクロカプセル型電気泳動式表示パネルの製造方法を提供することが可能となる。
【００１９】
また、請求項７に記載した発明によれば、マイクロカプセルの粒径を２０［μｍ］以上〜７０［μｍ］以下の範囲内とすることで、第一基板と第二基板との間において、マイクロカプセルを単層で敷き詰めて、マイクロカプセル型電気泳動式表示パネルを製造することが可能となる。また、磁性マイクロ球体の粒径を２０［μｍ］以上〜７０［μｍ］以下の範囲内とすることで、第一基板と第二基板との間において、磁性マイクロ球体を単層で敷き詰めて、マイクロカプセル型電気泳動式表示パネルを製造することが可能となる。
【００２０】
また、請求項８に記載した発明によれば、磁性マイクロ球体の材料として、常温で強磁性を示す材料を選択することが可能となる。
また、請求項９に記載した発明によれば、マイクロカプセルに対する前記磁性マイクロ球体の数量比を、０．４以上〜０．８以下の範囲内とすることにより、屋外へのメッセージ表示と屋内からの視界の良好性とを両立することが可能なマイクロカプセル型電気泳動式表示パネルを製造することが可能となる。
【図面の簡単な説明】
【００２１】
【図１】本発明の第一実施形態におけるマイクロカプセル型電気泳動式表示パネルの概略構成を示す図である。
【図２】マイクロカプセルの詳細な構成を示す図である。
【図３】マイクロカプセル型電気泳動式表示パネルの製造工程を示す図である。
【図４】マイクロカプセル型電気泳動式表示パネルの製造工程を示す図である。
【図５】マイクロカプセル型電気泳動式表示パネルが行う動作を示す模式図である。
【発明を実施するための形態】
【００２２】
（第一実施形態）
以下、本発明の第一実施形態（以下、「本実施形態」と記載する）について、図面を参照しつつ説明する。
（構成）
まず、図１及び図２を用いて、本実施形態のマイクロカプセル型電気泳動式表示パネル１の構成を説明する。なお、図１は、本実施形態におけるマイクロカプセル型電気泳動式表示パネル１の概略構成を示す図である。
図１中に示すように、本実施形態のマイクロカプセル型電気泳動式表示パネル１は、第一基板２と、第二基板４と、マイクロカプセル層６を備えている。
第一基板２は、樹脂フィルム８と、第一電極層１０を有している。
樹脂フィルム８は、透明なフィルムを用いて形成されている。
ここで、樹脂フィルム８の厚さ（膜厚）は、２５［μｍ］以上〜２５０［μｍ］以下の範囲内程度とすることが好適である。これは、樹脂フィルム８の膜厚が薄すぎる場合には、マイクロカプセル層６の保護機能が不十分となるためである。
【００２３】
第一電極層１０は、例えば、全面を同一の電位とする透明な共通電極層（透明電極層）を用いて形成されている。
また、第一電極層１０は、樹脂フィルム８と積層して、樹脂フィルム８とマイクロカプセル層６との間に配置されている。
第二基板４は、第一基板２に対向配置されており、ガラス基板１２と、第二電極層１４と、接着剤層１６を有している。
【００２４】
ガラス基板１２は、透明なガラスを用いて形成されている。
第二電極層１４は、例えば、画素毎に独立してパターニングされた、透明な薄膜トランジスタ、信号電極及び走査電極が併設されたものを用いて形成された層（透明画素電極層）である。
また、第二電極層１４は、ガラス基板１２上に形成されてガラス基板１２と積層し、ガラス基板１２とマイクロカプセル層６との間に配置されている。
【００２５】
接着剤層１６は、第二電極層１４上に形成されてガラス基板１２及び第二電極層１４と積層し、第二電極層１４とマイクロカプセル層６との間に配置されている。
また、接着剤層１６は、例えば、公知の感圧接着剤や感熱接着剤を用いて形成されている。この場合、粘着面に剥離紙を有する片面粘着テープ、または、両面粘着テープの形で用いる。すなわち、接着剤層１６は、片面粘着テープの非粘着面を、接着剤によりマイクロカプセル層６に貼るか、または、両面粘着テープの一方の剥離テープを剥がして、マイクロカプセル層６に貼ることにより形成する。
【００２６】
また、接着剤層１６の厚さ（膜厚）は、１０［μｍ］以上〜５０［μｍ］以下の範囲内程度とすることが好適である。
マイクロカプセル層６は、第一基板２と第二基板４との間に介装されており、マイクロカプセル１８を複数個含有している。
マイクロカプセル層６における各マイクロカプセル１８の占有率は、５０［％］以上〜７０［％］以下の範囲内となっている。
【００２７】
以下、図２を用いて、マイクロカプセル１８の詳細な構成を説明する。
図２は、マイクロカプセル１８の詳細な構成を示す図である。
図２中に示すように、各マイクロカプセル１８は、カプセル殻２０と、透明分散媒２２と、複数の電気泳動粒子２４を備えている。
カプセル殻２０は、メタクリル酸樹脂、ユリア樹脂、アラビアゴム等を材料として用い、中空の球状に形成されている。
また、カプセル殻２０の外径（直径）は、２０［μｍ］以上〜７０［μｍ］以下の範囲内とする。すなわち、マイクロカプセル１８の粒径は、２０［μｍ］以上〜７０［μｍ］以下の範囲内とする。これは、第一基板２と第二基板４との間に、マイクロカプセル１８を単層で敷き詰めることが可能となるためである。
透明分散媒２２は、シリコーンオイル等、粘性の高い液体で形成されており、カプセル殻２０内に封入されている。
【００２８】
電気泳動粒子２４は、複数の白色荷電粒子２６と、複数の黒色荷電粒子２８から形成されており、透明分散媒２２中に分散した状態で、透明分散媒２２と共に、カプセル殻２０内に封入されている。
各白色荷電粒子２６は、酸化チタンを用いて形成されており、予め、正電荷に帯電させた状態で、透明分散媒２２中に分散している。
各黒色荷電粒子２８は、カーボンブラックを用いて形成されており、予め、負電荷に帯電させた状態で、透明分散媒２２中に分散している。
【００２９】
（製造方法）
以下、図１及び図２を参照しつつ、図３及び図４を用いて、マイクロカプセル型電気泳動式表示パネル１の製造方法（以下、「製造方法」と記載する場合がある）について説明する。なお、図３及び図４は、マイクロカプセル型電気泳動式表示パネル１の製造工程を示す図であり、マイクロカプセル型電気泳動式表示パネル１の製造工程は、図３中に示す状態から、図４中に示す状態へ移行する。
【００３０】
図３中に示すように、マイクロカプセル型電気泳動式表示パネル１を製造する際には、まず、第一電極層１０の、第二基板４と対向する面（図中では下側の面）に、マイクロカプセル１８及び磁性マイクロ球体３０を混入した液体である、マイクロカプセル塗工液（図示せず）を塗布する。
ここで、磁性マイクロ球体３０は、常温で強磁性を有する金属、または、常温で強磁性を有する性質の材料を用いた球体であり、マイクロカプセル１８と同一または略同一形状とする。このとき、磁性マイクロ球体３０は、常温で強磁性を有する金属、または、常温で強磁性を有する性質の材料を、マイクロカプセル１８と同一または略同一形状の収容部材（カプセル殻２０）内に封入して形成されているものを好適に用いることが可能である。
【００３１】
また、磁性マイクロ球体３０の外径（直径）は、２０［μｍ］以上〜７０［μｍ］以下の範囲内とする。すなわち、磁性マイクロ球体３０の粒径は、２０［μｍ］以上〜７０［μｍ］以下の範囲内とする。これは、第一基板２と第二基板４との間に、磁性マイクロ球体３０を単層で敷き詰めることが可能となるためである。
また、マイクロカプセル塗工液を形成する際には、マイクロカプセル層６における各マイクロカプセル１８の占有率が、５０［％］以上〜７０［％］以下の範囲内となるように形成する。
【００３２】
さらに、マイクロカプセル塗工液を形成する際には、マイクロカプセル１８に対する磁性マイクロ球体３０の数量比が、０．４以上〜０．８以下の範囲内となるように形成する。
すなわち、マイクロカプセル塗工液における、マイクロカプセル１８に対する磁性マイクロ球体３０の数量比は、０．４以上〜０．８以下の範囲内となっている。
【００３３】
第一電極層１０の第二基板４と対向する面にマイクロカプセル塗工液を塗布した後、図４中に示すように、塗布したマイクロカプセル塗工液が乾燥する前に、磁力を有する磁石３２を、第一基板２と反対側から、マイクロカプセル塗工液に近接させる。
これにより、磁石３２に磁性マイクロ球体３０を吸着させて、マイクロカプセル塗工液から、磁石３２が有する磁力により、磁性マイクロ球体３０を取り除き、第一基板２の面上、具体的には、第一電極層１０の第二基板４と対向する面上に、マイクロカプセル層６を形成する。
【００３４】
第一基板２の面上にマイクロカプセル層６を形成した後、マイクロカプセル層６の第一基板２と対向する面と反対側の面に、第二基板４を貼り付けて、マイクロカプセル型電気泳動式表示パネル１を製造する（図１参照）。
ここで、マイクロカプセル層６の第一基板２と対向する面と反対側の面に、第二基板４を貼り付ける際には、例えば、接着剤層１６が有する剥離紙を剥がして粘着面を露出させ、この露出させた粘着面をマイクロカプセル層６に貼り合わせた後、押圧または加熱する。これにより、マイクロカプセル型電気泳動式表示パネル１の製造工程を終了する。
【００３５】
（動作）
以下、図１から図４を参照しつつ、図５を用いて、本実施形態のマイクロカプセル型電気泳動式表示パネル１が行う動作について記載する。
図５は、マイクロカプセル型電気泳動式表示パネル１が行う動作を示す模式図である。
図５中に示すように、本実施形態のマイクロカプセル型電気泳動式表示パネル１を動作させる際は、第一電極層１０と第二電極層１４に、それぞれ、電界を印加して、極性を付与する。
そして、第一電極層１０を負極とし、第二電極層１４を正極とした場合、図５中において右側に示すように、正電荷に帯電させた各白色荷電粒子２６は、第一電極層１０側に引かれ、負電荷に帯電させた各黒色荷電粒子２８は、第二電極層１４側に引かれる。
【００３６】
このため、第一電極層１０側の上方からマイクロカプセル型電気泳動式表示パネル１を観察すると、電界を印加した部分が白く見える。また、上述した製造工程において磁性マイクロ球体３０を取り除いた部分は、透明となる。
一方、第一電極層１０を正極とし、第二電極層１４を負極とした場合、図５中において左側に示すように、正電荷に帯電させた各白色荷電粒子２６は、第二電極層１４側に引かれ、負電荷に帯電させた各黒色荷電粒子２８は、第一電極層１０側に引かれる。
【００３７】
このため、第一電極層１０側の上方からマイクロカプセル型電気泳動式表示パネル１を観察すると、電界を印加した部分が黒く見える。また、第一電極層１０を負極とし、第二電極層１４を正極とした場合と同様、上述した製造工程において磁性マイクロ球体３０を取り除いた部分は、透明となる。
ここで、マイクロカプセル層６は、上述したように、電気泳動粒子２４を封入したマイクロカプセル１８を複数個含有しているため、第一電極層１０を同一電位の共通電極とし、第二電極層１４の各アドレス電極の電界を制御することにより、上述した動作の原理に基づき、マイクロカプセル１８内の電気泳動粒子２４（白色荷電粒子２６、黒色荷電粒子２８）を移動させることで、所望の文字や図形を、白と黒の画素として表示させることが可能となる。
【００３８】
（第一実施形態の効果）
以下、本実施形態の効果を列挙する。
（１）本実施形態のマイクロカプセル型電気泳動式表示パネル１は、マイクロカプセル層６おけるマイクロカプセル１８の占有率が、５０［％］以上〜７０［％］以下の範囲内である。
このため、透視性を有するマイクロカプセル型電気泳動式表示パネル１を形成することが可能となる。
その結果、表示画像の書き換えが可能なシースルー型画像表示装置に適切なマイクロカプセル型電気泳動式表示パネル１を提供することが可能となる。
また、従来のマイクロカプセル型電気泳動式表示パネルと比較して、軽量化されたマイクロカプセル型電気泳動式表示パネル１を提供することが可能となる。
【００３９】
（２）本実施形態のマイクロカプセル型電気泳動式表示パネル１は、マイクロカプセル１８の粒径が、２０［μｍ］以上〜７０［μｍ］以下の範囲内である。
その結果、第一基板２と第二基板４との間において、マイクロカプセル１８を単層で敷き詰めることが可能となる。
（３）本実施形態のマイクロカプセル型電気泳動式表示パネル１は、第一基板２が、樹脂フィルム８を用いて形成されている。
その結果、フレキシブルなマイクロカプセル型電気泳動式表示パネル１を形成することが可能となる。
（４）本実施形態のマイクロカプセル型電気泳動式表示パネル１は、第二基板４が、ガラス基板１２を用いて形成されている。
その結果、強度に優れたマイクロカプセル型電気泳動式表示パネル１を形成することが可能となる。
【００４０】
（５）本実施形態のマイクロカプセル型電気泳動式表示パネル１の製造方法は、マイクロカプセル層６を、マイクロカプセル１８及び磁性マイクロ球体３０を混入した液体であるマイクロカプセル塗工液を、第一電極層１０の第二基板４と対向する面に塗布した後、その塗布したマイクロカプセル塗工液が乾燥する前に、マイクロカプセル塗工液から磁力により磁性マイクロ球体３０を取り除いて形成する。
その結果、マイクロカプセル１８の面内分布が均一な、マイクロカプセル型電気泳動式表示パネル１を製造することが可能となる。
なお、磁力により取り除かれた磁性マイクロ球体３０は、本実施形態のマイクロカプセル型電気泳動式表示パネル１の製造方法において、繰り返し使用することが可能である。また、磁力により取り除かれた磁性マイクロ球体３０は、再度、マイクロカプセル塗工液に配合してもよい。
【００４１】
（６）本実施形態のマイクロカプセル型電気泳動式表示パネル１の製造方法は、マイクロカプセル層６におけるマイクロカプセル１８の占有率を、５０［％］以上〜７０［％］以下の範囲内としている。
このため、透視性を有するマイクロカプセル型電気泳動式表示パネル１を形成することが可能となる。
その結果、表示画像の書き換えが可能なシースルー型画像表示装置に適切なマイクロカプセル型電気泳動式表示パネル１を提供することが可能となる。
また、従来のマイクロカプセル型電気泳動式表示パネルと比較して、軽量化されたマイクロカプセル型電気泳動式表示パネル１を提供することが可能となる。
【００４２】
（７）本実施形態のマイクロカプセル型電気泳動式表示パネル１の製造方法は、マイクロカプセル１８及び磁性マイクロ球体３０の粒径を、２０［μｍ］以上〜７０［μｍ］以下の範囲内としている。
その結果、第一基板２と第二基板４との間において、マイクロカプセル１８を単層で敷き詰めて、マイクロカプセル型電気泳動式表示パネル１を製造することが可能となる。また、第一基板２と第二基板４との間において、磁性マイクロ球体３０を単層で敷き詰めて、マイクロカプセル型電気泳動式表示パネル１を製造することが可能となる。
【００４３】
（８）本実施形態のマイクロカプセル型電気泳動式表示パネル１の製造方法は、磁性マイクロ球体３０が、常温で強磁性を有する金属、または、常温で強磁性を有する性質の材料をマイクロカプセル１８と同一または略同一形状の収容部材であるカプセル殻２０内に封入して形成されている。
その結果、磁性マイクロ球体３０の材料として、常温で強磁性を示す材料を選択することが可能となる。
（９）本実施形態のマイクロカプセル型電気泳動式表示パネル１の製造方法は、マイクロカプセル１８に対する磁性マイクロ球体３０の数量比を、０．４以上〜０．８以下の範囲内としている。
その結果、屋外へのメッセージ表示と屋内からの視界の良好性とを両立することが可能なマイクロカプセル型電気泳動式表示パネル１を製造することが可能となる。
【００４４】
（変形例）
以下、本実施形態の変形例を列挙する。
（１）本実施形態のマイクロカプセル型電気泳動式表示パネル１では、マイクロカプセル１８の粒径を、２０［μｍ］以上〜７０［μｍ］以下の範囲内としたが、これに限定するものではなく、マイクロカプセル１８の粒径を、２０［μｍ］以上〜７０［μｍ］以下の範囲外としてもよい。
（２）本実施形態のマイクロカプセル型電気泳動式表示パネル１では、第一基板２を、樹脂フィルム８を用いて形成したが、これに限定するものではなく、第一基板２を、ガラス基板１２を用いて形成してもよい。また、第一基板２を、樹脂フィルム８及びガラス基板１２以外を用いて形成してもよい。
【００４５】
（３）本実施形態のマイクロカプセル型電気泳動式表示パネル１では、第二基板４を、ガラス基板１２を用いて形成したが、これに限定するものではなく、第二基板４を、樹脂フィルム８を用いて形成してもよい。また、第二基板４を、樹脂フィルム８及びガラス基板１２以外を用いて形成してもよい。
（４）本実施形態のマイクロカプセル型電気泳動式表示パネル１の製造方法では、マイクロカプセル層６におけるマイクロカプセル１８の占有率を、５０［％］以上〜７０［％］以下の範囲内としたが、これに限定するものではない。すなわち、マイクロカプセル層６におけるマイクロカプセル１８の占有率を、５０［％］以上〜７０［％］以下の範囲外としてもよい。
【００４６】
（５）本実施形態のマイクロカプセル型電気泳動式表示パネル１の製造方法では、マイクロカプセル１８及び磁性マイクロ球体３０の粒径を、２０［μｍ］以上〜７０［μｍ］以下の範囲内としたが、これに限定するものではない。すなわち、マイクロカプセル１８または磁性マイクロ球体３０の粒径を、２０［μｍ］以上〜７０［μｍ］以下の範囲内としてもよい。また、マイクロカプセル１８及び磁性マイクロ球体３０の粒径を、２０［μｍ］以上〜７０［μｍ］以下の範囲外としてもよい。
【００４７】
（６）本実施形態のマイクロカプセル型電気泳動式表示パネル１の製造方法では、磁性マイクロ球体３０を、常温で強磁性を有する金属、または、常温で強磁性を有する性質の材料をカプセル殻２０内に封入して形成したが、これに限定するものではない。すなわち、磁性マイクロ球体３０を、常温で強磁性を有する金属、または、常温で強磁性を有する性質の材料以外を用いて形成してもよい。
（７）本実施形態のマイクロカプセル型電気泳動式表示パネル１の製造方法では、マイクロカプセル１８に対する磁性マイクロ球体３０の数量比を、０．４以上〜０．８以下の範囲内としたが、これに限定するものではなく、マイクロカプセル１８に対する磁性マイクロ球体３０の数量比を、０．４以上〜０．８以下の範囲外としてもよい。
【００４８】
（実施例）
図１から図５を参照して、上述した実施形態にて示したマイクロカプセル型電気泳動式表示パネル１を製造し、その構成の評価を行った結果について説明する。
マイクロカプセル型電気泳動式表示パネル１を製造する際には、電気泳動粒子２４を封入したマイクロカプセル１８と、磁性マイクロ球体３０と、バインダー材料であるウレタン樹脂（図示せず）を含み、電気泳動粒子２４と磁性マイクロ球体３０の数量比を変化させたマイクロカプセル塗工液を形成した。
具体的には、マイクロカプセル１８の数量を１とした場合に、磁性マイクロ球体３０の数量比を０〜２．０まで０．２ずつ変化させたマイクロカプセル塗工液を形成した。なお、マイクロカプセル１８に対する磁性マイクロ球体３０の数量比は、各材料の重量を密度で除することにより求めた。
【００４９】
そして、一方の面に、ＩＴＯ（Ｉｎｄｉｕｍ  Ｔｉｎ  Ｏｘｉｄｅ）からなる第一電極層１０が形成されたＰＥＴフィルムを用意し、その第一電極層１０上にマイクロカプセル塗工液を塗布した。
次に、第一電極層１０上のマイクロカプセル塗工液を乾燥させた後、磁力を有する磁石３２を、塗布されたマイクロカプセル塗工液に近接させることにより、マイクロカプセル塗工液から磁性マイクロ球体３０を取り除き、マイクロカプセル層６を形成した。
【００５０】
さらに、ＩＴＯからなる第二電極層１４が形成されたＰＥＴ（Ｐｏｌｙｅｔｈｙｌｅｎｅ  Ｔｅｒｅｐｈｔｈａｌａｔｅ）フィルムの電極面と、マイクロカプセル層６とを、接着剤を介して貼り合わせることにより、マイクロカプセル型電気泳動式表示パネル１を製造した。
そして、上記のように製造したマイクロカプセル型電気泳動式表示パネル１について、以下の測定及び評価を行った。
【００５１】
（マイクロカプセル層６におけるマイクロカプセル１８の占有率の測定）
上記のように製造したマイクロカプセル型電気泳動式表示パネル１に対し、透過光による観察を行い、得られた透過顕微鏡像について、二値化処理を行うことにより、マイクロカプセル層６におけるマイクロカプセル１８の占有率を求めた。
ここで、マイクロカプセル層６におけるマイクロカプセル１８の占有率は、製造したマイクロカプセル型電気泳動式表示パネル１を光源の上で撮影し、明度１２８未満の領域を、マイクロカプセル１８が存在する領域として二値化処理し、明度１２８以上の領域を、マイクロカプセル１８が存在しない領域として二値化処理し、両者の面積比から計算した。
【００５２】
マイクロカプセル型電気泳動式表示パネル１について透過光による観察を行った場合には、マイクロカプセル１８が存在する領域は、マイクロカプセル１８中に封入された電気泳動粒子２４により、光が透過されず暗く観察され、マイクロカプセル塗工液から磁性マイクロ球体３０が取り除かれた空隙部分の領域は、光を透過して明るく観察される。
したがって、上記のように得られた透過顕微鏡像を二値化処理し、その面積比により、マイクロカプセル層６におけるマイクロカプセル１８の占有率を求めることが可能である。
【００５３】
（視認性評価）
上記のように製造したマイクロカプセル型電気泳動式表示パネル１に対し、白黒のテスト画像を表示させ、マイクロカプセル型電気泳動式表示パネル１の両面に光源を配置し、第一電極層１０側を観察者側とした。
・反射像の視認性評価
観察者側の光源を点灯させるとともに、反対側の光源を点灯させずに、マイクロカプセル型電気泳動式表示パネル１に表示されるテスト画像の視認性を評価した。
その結果を、以下の表に示す。なお、表中では、マイクロカプセル層６におけるマイクロカプセル１８の占有率を、「占有率」と記載している。
【００５４】
【表１】
2012068585.tif 000003
【００５５】
なお、表１中では、テスト画像が良好に視認される場合を「○」で示し、テスト画像が良好に視認されない場合を「×」で示した。
・透過像の視認性評価
観察者側の光源を点灯させずに、反対側の光源を点灯させて、マイクロカプセル型電気泳動式表示パネル１を透過して見られる光源等の像の視認性を評価した。
その結果は、上記の表に示す。
なお、表１中では、像が良好に視認される場合を「○」で示し、像が良好に視認されない場合を「×」で示した。
【００５６】
表１中に示すように、上記のように製造したマイクロカプセル型電気泳動式表示パネル１の中で、可視光での透過率が３０［％］以上〜６５［％］以下の範囲内であったものは、電気泳動粒子２４を封入したマイクロカプセル１８に対する磁性マイクロ球体３０の数量比が、０．４以上〜０．８以下の条件で、マイクロカプセル塗工液を形成したものであった。
【００５７】
以上により、マイクロカプセル層６におけるマイクロカプセル１８の占有率が５０［％］以上〜７０［％］以下の範囲内であるマイクロカプセル型電気泳動式表示パネル１は、屋内からは視界を遮られないが、屋外に対してメッセージ等の情報を表示することが可能な、屋内外の透視度が異なる透視板を提供するシースルー型画像表示装置として適切な機能を有することが確認された。
【産業上の利用可能性】
【００５８】
本発明のマイクロカプセル型電気泳動式表示パネルは、屋内からは視界を遮られないが、屋外に対してメッセージ等の情報を表示することが可能な、屋内外の透視度が異なる透視板を提供するシースルー型画像表示装置として適切である。
【符号の説明】
【００５９】
１    マイクロカプセル型電気泳動式表示パネル
２    第一基板
４    第二基板
６    マイクロカプセル層
８    樹脂フィルム
１０  第一電極層（透明電極層）
１２  ガラス基板
１４  第二電極層（透明画素電極層）
１６  接着剤層
１８  マイクロカプセル
２０  カプセル殻
２２  透明分散媒
２４  電気泳動粒子
２６  白色荷電粒子
２８  黒色荷電粒子
３０  磁性マイクロ球体
３２  磁石
【図１】
2012068585.tif 000004
【図２】
2012068585.tif 000005
【図３】
2012068585.tif 000006
【図４】
2012068585.tif 000007
【図５】
2012068585.tif 000008